(57)【特許請求の範囲】
【請求項１】
四角柱状突起の頂点ａとｂを結ぶ一方の対角線上に形成される底辺１１１に向かって、他の頂点ｃとｄとを頂点として斜めに切欠して構成された対向する斜面１１２．１１２’を有する一対の突起１１．１１’．．．を、靴底０の接地面に多数配列すると共に、突起１１．１１’．．．の底辺１１１を同一方向に指向させて複数行列させて行列突起群Ｍを構成し、この行列突起群Ｍ．Ｍ．．．を、その底辺１１１．１１１．．．を同一方向に指向させて多数列配列したことを特徴とする靴底。
【請求項２】
突起１１．１１’．．．の底辺１１１を同一方向に指向させて複数行列させた行列突起群Ｍと、突起１１．１１’．．．の底辺１１１を同一方向に指向させて複数行列させた行列突起群Ｎとを交互に異方向に配列したことを特徴とする請求項１記載の靴底。
【請求項３】
靴底の中心軸Ｌの外側踏み付け部０１接地面において、一対の突起１１．１１’の底辺１１１を、中心軸Ｌに対して斜め前方方向に指向させて多数配列したことを特徴とする請求項１記載の靴底。
【請求項４】
靴底の中心軸Ｌの内側踏み付け部０２接地面において、一対の突起１１．１１’の底面１１１を、中心軸Ｌに対して斜め前方方向に指向させて多数配列したことを特徴とする請求項１記載の靴底。
【請求項５】
靴底の外周縁部０１１．０１１に配列された一対の突起１１．１１’のうち外縁側に位置する突起１１を内縁側に位置する突起１１’より高く形成したことを特徴とする請求項３又は４記載の靴底。
【請求項６】
外周縁部０１１．０１１を中央部０１２より漸次厚肉に形成した踏み付け部接地面に一対の突起１１．１１’を多数配列したことを特徴とする請求項３又は４記載の靴底。
【発明の詳細な説明】
【０００１】
【産業上の利用分野】
この発明は、靴底、特に動的な歩行ないし走行において、滑り止め効果を発揮できる靴底に関するものである。
【０００２】
【従来の技術】
従来、靴底接地面に円錐台状、四角柱状、山状或いは波状突起を配置した数々の靴底が知られている。しかしながら、歩行ないし走行の際の足の動的作用に対応して、充分に滑り止め効果を発揮できなかった。
【０００３】
近年、人間の歩行ないし走行における動的な研究が確立され、正常な成人の歩行ないし走行においては、足の長手軸方向に沿った内外側の２つの縦アーチ、即ち踵骨から第１中足骨の頭部へかけての内側アーチと踵骨から第５中足骨頭部へかけての外側の縦アーチと、足の短手方向への２つの横アーチ、即ち第１楔骨から立方骨の先端にかけての第１の横アーチと、第1中足骨の頭部から第５中足骨の頭部にかけてのボール部の第２の横アーチで体重負荷による着地衝撃圧を吸収しながら歩行するものである。そして歩行工程において体重負荷は、まず踵部外側から内側にかけて回内（プロネーション）しながら踵部裏面に負荷され、次に踵部裏面から足の長手方向における外踏まず部裏面に沿って徐々に前方へ向けて回外しながら移動され、第５指のボール部裏面、即ち第５中足骨と第５基節骨との関節部裏面で足を回外（スピネーション）して強く地面を踏みつけてから第１指のボールジョイント部裏面、即ち第１中足骨と第１基節骨との関節部裏面へとローリングしながら地面を踏みつけて移動され、次に第１基節骨と第１末節骨を反らせてピッチングさせながら第１末節骨（第１指）裏面で地面を強力に把持して第１〜第５指、特に第１.２.３指で地面を蹴って前進する工程を繰り返しながら歩行、所謂「あおり歩行ないし走行」するものと言われている。そしてこのような動的歩行ないし走行において、踵部でのプロネーション、第５指のボール部でのスピネーション、ボールジョイントに沿った踏み付け部でのローリング、第１．２．３指部での蹴りの工程で滑り易いと考えられる。
【０００４】
又人間の脚の膝部は、老化によって外側に湾曲（Ｏ脚）し、立脚時における体重の重心線が膝の内側に位置し，歩行時に体重負荷が足裏の外側に集中して負荷されるようになり、これが老化による足の筋肉や靭帯の機能低下による２つの縦アーチ、と２つの横アーチの低平化とあいまって煽り歩行ができなくなり、歩行の際の体重負荷は踵部外側から爪先部外側へと直線的に移動される様になり歩行の際、バランスを失って、躓ずいたり、踏みつけ部が過度に回外（オーバースピネーション）して外側前方向へ倒れたり、滑ったりし易いと言われている。
【０００５】
【発明の課題】
この発明は、一連の動的な歩行ないし走行において滑り止め効果を発揮して、歩行ないし走行バランスをコントロールし、煽り歩行ないし走行を促進できる靴底を提供しようとするものである。
【０００６】
【課題を解決するための手段】
この発明は、請求項1の発明は、四角柱状突起の頂点aとｂを結ぶ一方の対角線上に形成される底辺１１１に向かって、他の頂点Cとｄとを頂点として斜めに切欠して構成された対向する斜面１１２．１１２’を有する一対の突起１１．１１’．．．を、靴底０の接地面に多数配列することにより、突起１１．１１’．．．の頂点a．ｂからその底辺１１１にたいする直角方向Ｆを中心に、突起１１．１１’に圧縮応力と伸張応力が負荷され、一対の突起１１．１１’の対向する斜面１１２．１１２’で地面を挟むようにグリップし、動的な歩行走行工程において、底辺１１１とほぼ直交する方向Fへの滑りが阻止され、さらには底辺１１１と略直交する方向Fへの動的な体重負荷の外れがコントロールできることが判明した。
【０００７】
請求項１の発明は、老人用の踏み付け部等において、突起１１．１１’．．．の底辺１１１を同一方向に指向させて複数行列させて行列突起群Ｍを構成し、この行列突起群Ｍ．Ｍ．．．を、その底辺１１１．１１１．．．を同一方向に指向させて多数列配列したものであり、この底辺と直交する方向Ｆへの滑り、と動的体重負荷の外れを防止したものである。
【０００８】
請求項２の発明は、踵部、踏まず部等において、突起１１．１１’．．．の底面１１１を同一方向に指向させて複数行列させた行列突起群Ｍとし、複数の行列突起群Ｍ．Ｍ．．．を底辺１１１．１１１．．．を同一方向に指向させて多数列配置したものであり、行列突起群Ｍの底辺１１１と直交する方向Ｆ’−Ｆ’と行列突起群Ｎの底辺１１１と直交する方向Ｆ’−Ｆ’とをクロスさせて、クロス方向への滑り防止と動的体重負荷の外れを防止し、横振れすることなく安定的な着地を可能にしたものである。
【０００９】
請求項３の発明は、靴底の中心軸Ｌの外側踏み付け部０１接地面において、一対の突起１１．１１の底辺１１１を、中心軸Ｌに対して斜め前方方向に指向させて多数配列させることにより、足の第５指のボール部に対応する外側踏み付け部０１接地面で、動的な体重負荷が突起１１．１１’の底辺１１１と直交する斜め前方外側方向Ｆ方向に外れようとする、即ちオーバースピレーションするのを防止し、踏み付け部でのローリングを促進させたものである。
【００１０】
請求項４の発明は、靴底の中心軸Ｌの内側踏み付け部０２接地面において、隣接する一対の突起１１．１１’の底辺１１１を、中心軸Ｌに対して斜め前方方向に指向させて多数配列したものであり、足の第１指のボール部に対応する内側踏み付け部０２接地面で、動的な体重負荷がローリングに伴って突起１１．１１’の底辺１１１と直交する斜め前方外側方向Ｆ’’’方向へ外れるのを防止し、第１指のボール部での踏み付け部を確実なものとし、第１指、第２指、第３指での蹴り動作を促進することができる。
【００１１】
請求項５の発明は、靴底の外周縁部０１１．０１１に配置された一対の突起１１．１１’のうち外縁側に位置する突起１１を内縁側に位置する突起１１’より高く形成したものであり、一対の突起１１．１１’の高低差によって動的体重負荷が踏み付け部の内外側部で靴底の外側方向Ｆ’’’’へ外れようとするのを、より効果的に予防できるものである。
【００１２】
請求項６の発明は、外周縁部０１１．０１１を中央部０１２より漸次厚肉に形成した踏み付け部接地面に一対の突起１１．１１’を多数配列したものであり、請求項３又は４の発明において、さらに足の第５指のボール部に対応する外側踏み付け部０１接地面で体重負荷が、その外側方向Ｆ’’’’へ逃げる、即ち、オーバースピネーションするのを予防し、踏み付け部でのローリングを促進させ、踏み付け部でのローリングの際、さらに体重負荷が内側踏み付け部０２で、その外側方向Ｆ’’’’方向に逃げるのを予防し、第１指のボール部での踏み付け確実なものとすることが出来、第１指、第２指、第３指での蹴りを安定的に促進させるようにしたものである。
【００１３】
この発明において四角柱状突起とはその頂辺が四角形状ないし平行４辺形状、台形状、帯状等の四つの辺によって構成され、各辺から７０〜１１０度の略垂直な側壁が垂下したものを意味するものである。そしてこの発明において頂点c、d部辺、斜辺c-aとc-b、斜辺ｄ−aとｄ-b部の縁部を若干平坦面又は湾曲面に形成しておけばこの部分で接地する際、着地が滑らかになり好都合である、この発明において四角柱状突起とは完全な四角柱だけではなくこのように変形したものも含むものである。
【００１４】
この発明において突起１１．１１’は、好ましくはJIS硬度が３５〜６５度の天然ゴム、ポリブタジエンゴム、ポリイソプレンゴム、スチレンブタジエンゴム,ＥＶＡ，ＥＰＴ，ＥＰＤＭ等オレフィン系ゴム等の合成ゴム、又はこれらの２種以上の混合物を主成分としたゴム、または塩化ビニール、ポリウレタン等通常靴底に使用される素材で靴底本体０と一体に形成されてされていても良いし、異質な素材で形成され靴底０本体に突起１１．１１’を接着、溶着、焼き付け等によって一体化されていても良い。突起１１．１１’の硬度がそれ以下となれば、突起１１．１１’の、反発弾性、耐摩耗性が低下し、耐久性に欠ける嫌いがあり、また硬度がそれ以上になれば頂辺部ｃ，ｄ部での圧縮応力と傾斜面１１２．１１２’伸張応力が低下し、引き戻し力と滑り止め効果が低下する嫌いがある。
【００１５】
この発明における突起１１．１１’は以上のように形成されているので、突起１１．１１’の頂点c、d部辺に歩行ないし走行の際、体重負荷によって着地圧が負荷された場合、これに隣接した側壁１１３（１１３’）．１１４（１１４’）が略垂直壁で構成され、対向する面１１２．１１２’が斜面で構成されているので、ｃ，ｄ部を中心に突起１１．１１’に圧縮応力が負荷され，斜面１１２．１１２’には伸張応力が負荷されて地面がグリップされる、そしてその反発力によってc、ｄから対角線方向、即ち底辺１１１に対して、略垂直方向へ引き戻そうとするベクトルが作用する。従って動的歩行ないし走行において、まずｄ部が着地する際、Ｆ方向へ倒れたり、滑ろうとする場合、突起１１．１１’の反発力によって引き戻される。
【００１６】
【実施例】
以下この発明を歩行機能の低下したO脚の老人用靴の靴底に実施した図面によって説明すると、JISｋ6301による硬度が５５度のゴムによって、図２に示すように長手方向１３ｍｍ、短手方向５ｍｍで、対向する頂点ｃ.ｄ部並びに斜辺c-aとc-b、斜辺ｄ−aとｄ-b部の縁部を２Ｒの湾曲面１１０．１１０’を形成した略長方形状の頂辺から、高さ2ｍｍの垂直壁を形成した四角柱状突起を、頂点aとbを結ぶ一方の対角線の底部に形成される底辺１１１に向かって他の頂点ｃ．dをそれぞれ頂点として斜めに切欠して、対向する斜面１１２．１１２’を有する一対の単位突起１１．１１’を構成した。
【００１７】
前記の一対の単位突起11.11’を図１に示すように、靴底踵部０３接地面、踏み付け部後方０４接地面において、その底辺111、１１１．．．が基準線xに平行な線x’に対して交差角度αが21度となるように短手方向に、平行に行列配列し突起群Mと、その底辺111、１１１．．．が基準線xに対して交差角βが21度となるように短手方向に平行に行列配列し突起群Nとを交互に配列し、靴底の中心軸Lの外側踏み付け部０１接地面において、一対の突起１１．１１’．．．の底辺１１１、１１１．．．を靴底の中心軸Ｌに対して斜め前方方向に指向させるとともに、その底辺１１１．１１１．．．を足のボールジョイントに沿った基準線Aと交差する角度α’が外側部では60度、中心軸L部では30度となるように漸次傾きを緩めて弧状列に複列配列し、靴底の中心軸Lの内側踏み付け部０２接地面において、一対の突起１１．１１’．．．の底辺１１１．１１１．．．を靴底の中心軸Ｌに対して斜め前方方向に指向させるとともに、その底辺１１１．１１１．．．をボールジョイントに沿った基準Aと交差する角度β’が外側部では３０度、中心軸L部では２０度となるように漸次傾きを緩めて弧状列に複列並列配列した。そして踏み付け部の外周縁部０１１．０１１を中央部０１２より0.５ｍｍだけ漸次厚肉に形成した。
【００１８】
【発明の作用】
この発明の実施例における靴底は以上のように構成されているので、Ｏ脚の人がこの靴底を装着した靴を履いて歩行した場合、歩行工程において、先ず踵部０３から踏み付け部後方にかけて着地した際、行列突起群Mと行列突起群Nの底辺１１１と１１１の指向方向をクロスしているので、これらの底辺１１１．１１１と略直交する滑り止め方向Ｆ’−Ｆ’とＦ’’―Ｆ’’線もクロスして、クロス方向への滑り防止と動的体重負荷の外れが予防され、踵部において横振れやオーバープロネーションすることなく安定的な着地が可能である。 次に足裏に負荷される動的体重負荷は、踵部から外踏まず部を通って第５指のボールジョイント部裏面へと、足を回外して移動される。靴底の中心軸Lの外側踏み付け部０１接地面において、一対の突起１１．１１’の底辺１１１が、中心軸Ｌに対して斜め前方方向に指向させて多数配列されているので、底辺１１１と略直交する方向F−Ｆ方向への滑りが阻止されるとともに足の第５指のボール部に対応する外側踏み付け部０１接地面で動的な体重負荷が斜め外側前方向、即ち底辺１１１と直交する方向Ｆ方向へ外れようとする、即ちオーバースピネーションしようとするのが阻止され、踏み付け部でのローリングが促進される。そして第５指のボールジョイント部裏面へ達した足裏の動的体重負荷は、第１指のボールジョイント部裏面へとローリングしながら移動される。そして靴底の中心軸Ｌの内側踏み付け部０２接地面において隣接する一対の突起１１．１１’の底辺１１１を、中心軸Ｌに対して斜め前方方向に指向させて多数配列したので、足の第１指のボール部に対応する内側踏み付け部０２接地面で、突起１１．１１’の底辺１１１と略直交する方向Ｆ’’’−Ｆ’’’への滑りが阻止されるとともに動的な体重負荷がローリングに伴って内側踏み付け部０２接地面の外側前方方向、即ち底辺１１１と直交する方向F’’’方向へ外れるのが防止され、第１指のボール部での踏み付けが確実なものとなり、第１指、第２指、第３指での蹴りが促進される。したがつて安定した煽り歩行が促進される。また実施例において踏み付け部０１．０２に配列された一対の突起１１．１１’．．．は弧状に多数列並列されているので、列間に形成される溝2.2...も弧状に多数並列され、踏み付け部０１．０２における靴底０の屈曲性も極めて良好で、煽り歩行が一層促進される。
【００１９】
【発明の効果】
この発明は、一対の突起１１.１１’...を、歩行ないし走行における動的な体重の移動に対応して色々な方向に方向性をもたせて、靴底０の接地面に配列することにより、動的な歩行ないし走行工程において滑り止め効果を発揮出来るとともに動的な歩行ないし走行バランスをコントロールして煽り歩行ないし走行を促進できる。
【図面の簡単な説明】
【図１】  靴底の平面図である。
【図２】  一対の突起の見取り図である
【図３】  足のボールジョイントに対応した図１の靴底の突起のＹ-Ｙ列における断面図である。
【図４】  図１の踏み付け部外側部における部分拡大図である。
【図５】  図１の踏み付け部内側部における部分拡大図である。
【図６】  図１の踵部における部分拡大図である。
【図１】
0004632496.tif 000002
【図２】
0004632496.tif 000003
【図３】
0004632496.tif 000004
【図４】
0004632496.tif 000005
【図５】
0004632496.tif 000006
【図６】
0004632496.tif 000007